(57)【要約】【課題】表示垂直同期信号と入力垂直同期信号との位相差を検出して表示垂直同期を制御することにより、画像の劣化やチラツキの発生を防止して画面品位を向上させる。【解決手段】  入力映像信号の垂直同期期間が最小垂直同期期間と最大垂直同期期間との間の補償期間の範囲内にある場合に入力映像信号に基づく表示が可能な表示部に対して入力映像信号の表示に用いる表示垂直同期信号を出力する同期信号生成装置において、入力映像信号の垂直同期期間を計測する周期計測部と、入力映像信号に基づく入力垂直同期信号と表示垂直同期信号との位相差を検出する位相差検出部と、周期計測部の計測結果と位相差検出部の検出結果とに基づいて、補償期間の範囲内で位相差が小さくなるように表示垂直同期信号の周期を求めると共に、表示垂直同期信号の周期の１／ｎの周期をｎ倍速垂直同期信号の周期を求める垂直周期判定部と、を具備したことを特徴とする。【選択図】図１
2011205203.tif 000002
【特許請求の範囲】
【請求項１】
入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、
前記入力映像信号の前記垂直同期期間を計測する周期計測部と、
前記入力映像信号に基づく入力垂直同期信号と前記表示垂直同期信号との位相差を検出する位相差検出部と、
前記周期計測部の計測結果と前記位相差検出部の検出結果とに基づいて、前記補償期間の範囲内で前記位相差が小さくなるように前記表示垂直同期信号の周期を求めると共に、前記表示垂直同期信号の周期の１／ｎの周期をｎ倍速垂直同期信号の周期を求める垂直周期判定部と、
を具備したことを特徴とする同期信号生成装置。
【請求項２】
入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、
前記入力映像信号の前記垂直同期期間を計測する周期計測部と、
前記入力映像信号に基づく入力垂直同期信号と前記表示垂直同期信号との位相差を検出する位相差検出部と、
前記周期計測部の計測結果と前記位相差検出部の検出結果とに基づいて、前記補償期間の範囲内で前記位相差が小さくなるように前記表示垂直同期信号の周期を求めると共に、前記入力垂直同期信号が前記補償期間の範囲内で発生することを前記位相差に基づいて検出した場合には、前記表示垂直同期信号の周期を前記周期計測部の計測結果に基づいて設定する垂直周期判定部と、
を具備したことを特徴とする同期信号生成装置。
【請求項３】
前記垂直周期判定部は、前記表示垂直同期信号を基準に、求めた前記周期に対応するカウント値を発生して次に発生させる前記表示垂直同期信号の発生タイミングを規定する
ことを特徴とする請求項１又は２に記載の同期信号生成装置。
【請求項４】
入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記表示垂直同期信号の周期の１／ｎの周期をｎ倍速垂直同期信号の周期を求める垂直周期判定部と、を具備した同期信号生成装置と、
前記同期信号生成装置を制御すると共に、バッファに記憶されている映像信号を読み出して前記入力映像信号として前記表示部に与える制御部と
を具備したことを特徴とする表示装置。
【請求項５】
入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記入力垂直同期信号が前記補償期間の範囲内で発生することを前記位相差に基づいて検出した場合には、前記表示垂直同期信号の周期を前記周期計測部の計測結果に基づいて設定する垂直周期判定部と、を具備した同期信号生成装置と、
前記同期信号生成装置を制御すると共に、バッファに記憶されている映像信号を読み出して前記入力映像信号として前記表示部に与える制御部と、
を具備したことを特徴とする表示装置。
【発明の詳細な説明】
【技術分野】
【０００１】
本発明は、同期信号生成装置及び表示装置に関する。
【背景技術】
【０００２】
従来より、表示装置として、液晶パネルやプラズマディスプレイパネル等のフラットパネルディスプレイ（以下、ＦＰＤという）が普及している。ＦＰＤにおいて表示に用いる水平及び垂直同期信号（以下、表示水平及び垂直同期信号という）は、ＦＰＤに供給される映像信号（入力映像信号）の水平及び垂直同期信号（以下、入力水平及び垂直同期信号という）とは異なる周波数である。
【０００３】
ＦＰＤの表示垂直同期信号の周波数（以下、表示垂直同期周波数という）は、垂直同期信号期間の周期の逆数であり、表示装置毎に固有の値となる。また、表示装置毎の固有の値は、垂直同期周期の許容範囲があり、最小の垂直同期期間（Ｖｓ）と最大の垂直同期期間（Ｖｌ）の範囲を設けることで（以下、補償期間という）、ＦＰＤは常に入力映像信号に基づく表示を行うことができる。
【０００４】
このように、ＦＰＤの表示垂直同期周波数は装置毎に異なり、また、入力映像信号の入力垂直同期信号の周波数（以下、入力垂直同期周波数という）も映像ソース毎に異なることが考えられ、通常、両者は一致しない。また、同一チャンネルの入力垂直同期周波数が変動することもある。
【０００５】
そこで、本件出願人は、特許文献１において、表示垂直同期信号を入力垂直同期信号に同期化する同期制御回路を提案している。この提案においては、入力映像信号の垂直同期の開始位置が、表示装置に許容されている補償期間内に入ると、以後、表示垂直同期信号を入力垂直同期信号に同期化する処理を行う。
【０００６】
しかしながら、特許文献１の提案においては、表示装置に供給される周波数がフィールド単位に異なる周波数になる場合があり、位相差が補償期間内に入っていない間は特にフィールド毎の周波数差が大きかった。このフィールド間の周波数差が大きくなるとＦＰＤの映像品位として問題となる。さらに、表示を倍速駆動するＦＰＤにおいては、この周波数差が顕著に現れるために映像品位の改善が必須となる。
【先行技術文献】
【特許文献】
【０００７】
【特許文献１】特開平１１−３３１６３８号公報
【発明の概要】
【発明が解決しようとする課題】
【０００８】
本発明は、画像の劣化やチラツキの発生を防止して画面品位を向上させることが可能な同期信号生成装置及び表示装置を提供することを目的とする。
【課題を解決するための手段】
【０００９】
本発明の一態様の同期信号生成装置は、入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記表示垂直同期信号の周期の１／ｎの周期をｎ倍速垂直同期信号の周期を求める垂直周期判定部と、を具備したことを特徴とし、
本発明の他の態様の同期信号生成装置は、入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記入力垂直同期信号が前記補償期間の範囲内で発生することを前記位相差に基づいて検出した場合には、前記表示垂直同期信号の周期を前記周期計測部の計測結果に基づいて設定する垂直周期判定部と、を具備したことを特徴とし、
本発明の一態様の表示装置は、入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記表示垂直同期信号の周期の１／ｎの周期をｎ倍速垂直同期信号の周期を求める垂直周期判定部と、を具備した同期信号生成装置と、前記同期信号生成装置を制御すると共に、バッファに記憶されている映像信号を読み出して前記入力映像信号として前記表示部に与える制御部とを具備したことを特徴とし、
本発明の他の態様の表示装置は、入力映像信号の垂直同期期間が最小垂直同期期間と最大垂直同期期間との間の補償期間の範囲内にある場合に前記入力映像信号に基づく表示が可能な表示部に対して前記入力映像信号の表示に用いる表示垂直同期信号を出力する同期信号生成装置において、前記入力映像信号の前記垂直同期期間を計測する周期計測部と、前記入力映像信号に基づく入力垂直同期信号と前記表示垂直同期信号との位相差を検出する位相差検出部と、前記周期計測部の計測結果と前記位相差検出部の検出結果とに基づいて、前記補償期間の範囲内で前記位相差が小さくなるように前記表示垂直同期信号の周期を求めると共に、前記入力垂直同期信号が前記補償期間の範囲内で発生することを前記位相差に基づいて検出した場合には、前記表示垂直同期信号の周期を前記周期計測部の計測結果に基づいて設定する垂直周期判定部と、を具備した同期信号生成装置と、前記同期信号生成装置を制御すると共に、バッファに記憶されている映像信号を読み出して前記入力映像信号として前記表示部に与える制御部と、を具備したことを特徴とする。
【発明の効果】
【００１０】
本発明によれば、表示垂直同期信号と入力垂直同期信号との位相差を検出し、検出した位相差に基づいて表示垂直同期を制御することにより、画像の劣化やチラツキの発生を防止して画面品位を向上させることが可能な同期信号生成装置及び表示装置を提供することが可能となる。
【図面の簡単な説明】
【００１１】
【図１】本発明の第１の実施の形態に係る同期信号生成装置を示すブロック図。
【図２】第１の実施の形態に係る同期信号生成装置が組み込まれた表示装置を示すブロック図。
【図３】図２の表示装置の表示画面と同期期間の関係を示す説明図。
【図４】特許文献１の同期化方法を示す説明図。
【図５】第１の実施の形態における同期化方法を示す説明図。
【図６】本発明の第２の実施の形態を示すブロック図。
【図７】特許文献１の同期化方法を示す説明図。
【図８】第２の実施の形態における同期化方法を示す説明図。
【発明を実施するための形態】
【００１２】
以下、図面を参照して本発明の実施の形態について詳細に説明する。
【００１３】
（第１の実施の形態）
図１は本発明の第１の実施の形態に係る同期信号生成装置を示すブロック図である。また、図２は第１の実施の形態に係る同期信号生成装置が組み込まれた表示装置を示すブロック図である。
【００１４】
図１は、図２に示す表示装置（例えばＦＰＤ）に採用される同期信号生成装置１０を示している。表示装置は、装置に固有の表示垂直同期信号及び表示水平同期信号を用いて表示を行う。
【００１５】
先ず、図２乃至図５を参照して、本実施の形態における同期化方法について説明する。図３は図２の表示装置の表示画面と同期期間の関係を示す説明図である。また、図４及び図５は同期化を説明するための説明図であり、図４は特許文献１の同期化方法を示し、図５は本実施の形態における同期化方法を示している。
【００１６】
図２に示すように、入力端子１に入力される入力映像信号は、入力垂直同期信号に同期としてバッファ２に供給される。バッファ２は制御部３に書込み及び読出しが制御されて、入力映像信号を数フレーム分保持して、表示部４に出力する。入力映像信号は制御部３にも供給される。制御部３は入力映像信号に含まれる入力水平同期信号及び入力垂直同期信号を分離して同期信号生成装置１０に与えると共に、バッファ２の書込み及び読出しを制御する。また、制御部３は、後述する標準垂直同期信号Ｖｂａｓｅ並びに最小垂直同期期間Ｖｓ及び最大垂直同期期間Ｖｌの値を同期信号生成装置１０に供給する。
【００１７】
同期信号生成装置１０は、制御部３から供給される信号に基づき、表示垂直同期信号を発生して表示部４に供給する。表示部４は、表示垂直同期信号を用いてバッファ２からの映像信号に基づく表示を行う。
【００１８】
図３において、図２の表示装置における垂直同期期間は、有効表示領域とブランキング領域（斜線部）とに対応する期間を含む。垂直同期期間は、表示垂直同期信号の周期に設定される。通常、表示装置には、表示可能な垂直同期期間に許容範囲が設けられている。即ち、表示装置においては、入力映像信号の垂直同期期間（以下、入力垂直同期期間という）が、標準垂直同期期間の前後に設定された最小垂直同期期間Ｖｓと最大垂直同期期間Ｖｌとによって規定される補償期間内であれば、入力映像信号に基づく表示を行うことができるようになっている。
【００１９】
表示装置の初期状態における表示垂直同期信号が標準垂直同期信号（Ｖｂａｓｅ）である。また、標準垂直同期信号に基づく垂直同期期間についても標準垂直同期期間Ｖｂａｓｅと標記するものとする。この場合、図３に示すように、Ｖｌ＞Ｖｂａｓｅ＞Ｖｓである。
【００２０】
上述した特許文献１においては、図４の同期化方法を採用する。図４及び図５は水平方向に時間軸をとり、フレームの区切りを示す縦線によって垂直同期の開始点、即ち、垂直同期信号を示している。図４において、上段は入力映像信号の各フレームのバッファ２への書込みを示し、下段はバッファ２から読出した映像信号の表示を示している。
【００２１】
括弧内の数字は、入力映像信号の各フレームを保持するバッファ２のバッファ領域番号を示しており、図４の例ではバッファ２の４フレーム分のバッファ領域に各フレームの映像信号を一時保持することを示している。入力映像信号の連続した各フレームはバッファ２の番号が１から４の各バッファ領域に巡回的に書き込まれる。
【００２２】
図４の上段の縦線は入力垂直同期信号を示し、下段の縦線は表示装置の垂直同期信号である表示垂直同期信号を示している。図４の例では、同期化要求後において、番号２のバッファ領域への入力映像信号の書込み途中に、番号が１のバッファ領域に記憶された映像信号が表示されること、即ち、１フレーム遅延による表示を示している。
【００２３】
特許文献１の装置では、同期化によって画像が破綻してしまうことを防止するために、表示装置は、先ず入力映像信号とは非同期に表示を行う。この場合には、表示装置は、標準垂直同期信号（Ｖｂａｓｅ）を用いて表示を行う。
【００２４】
即ち、特許文献１の装置では、入力垂直同期信号を監視し、入力垂直同期の開始点が補償期間に入ったか否かを検出する。補償期間内において入力垂直同期の開始点が検出されない場合には、表示垂直同期信号を発生させて表示に用いる。つまり、特許文献１の装置では、入力垂直同期の開始点が検出されるまで、入力垂直同期の開始点が補償期間内に入るか否かが不明である。従って、入力垂直同期の開始点が補償期間に入るまでは、表示垂直同期信号を最大垂直同期期間Ｖｌで発生させることになる。このように、補償期間内に入力垂直同期の開始点が入るか否かを検出するためには、補償期間一杯まで表示垂直同期の開始点を遅らせる必要がある。図４はこの状態を示しており、入力垂直同期信号に対して表示垂直同期信号（表示垂直同期の開始点）の発生タイミングが少しずつ遅れ、最終的に入力垂直同期の開始点が補償期間内で発生するようになる。
【００２５】
図４の例では、表示垂直同期信号を最小垂直同期期間Ｖｓで発生させた方が、比較的短期間に入力垂直同期の開始点が補償期間に入るが、特許文献１の提案では、入力垂直同期の開始点が補償期間に入るまでは必ず最大垂直同期期間Ｖｌで表示垂直同期信号を発生させる必要があり、同期化までに長時間がかかる。
【００２６】
また、特許文献１の提案では、入力垂直同期の開始点が補償期間内に入ると、表示垂直同期信号を発生するカウンタを入力垂直同期信号によってリセットすることで、同期化を行っている。従って、入力垂直同期信号が補償期間に入った直後においては、発生させる表示垂直同期信号の周期が比較的大きく変化し、画面表示が劣化してしまう。
【００２７】
これに対し、本実施の形態においては、比較的短時間で且つ画像の劣化を抑制しながら、同期化が可能である。
【００２８】
本実施の形態においては図５に示す同期化方法を採用する。
【００２９】
図５の上段の縦線は入力垂直同期信号を示し、下段の縦線は表示装置の表示垂直同期信号を示している。本実施の形態においては、入力垂直同期信号と表示垂直同期信号との位相差（以下、単に位相差ともいう）を検出し、検出した位相差を小さくするように表示垂直同期信号の周期を補償期間内で変化させるようになっている。
【００３０】
表示装置においては、入力垂直同期期間が補償期間を超える入力映像については表示することはできない。換言すると、表示装置において表示可能な映像信号については、入力垂直同期の周期と表示垂直同期信号の周期との差は、補償期間の期間長よりも小さい。従って、補償期間内で表示垂直同期信号の周期を補正した場合でも、位相差を小さくすることができる。
【００３１】
表示装置で表示可能な映像信号については、例えば、表示垂直同期信号の周期を最小垂直同期期間に設定すれば、入力垂直同期信号に対して表示垂直同期信号が進むように位相が変化し、逆に、表示垂直同期信号の周期を最大垂直同期期間に設定すれば、入力垂直同期信号に対して表示垂直同期信号が遅れるように位相が変化する。
【００３２】
また、本実施の形態においては、位相差を短時間で小さくするために、表示垂直同期信号の位相を時間的に近い入力垂直同期信号の位相に一致させるように、表示垂直同期信号の周期を補正する方向を決定する。
【００３３】
図５は表示垂直同期信号の位相が、時間的に前後する２つの入力垂直同期信号のうち時間的に後の入力垂直同期信号の位相に近い場合の例を示している。即ち、表示垂直同期の開始点から入力垂直同期の開始点までの位相差をΔとし、ある程度一定の範囲内で変動する入力垂直同期期間をＶｉｎｃａｐとすると、Δ＜Ｖｉｎｃａｐ／２である。この場合には、表示垂直同期信号の周期を補償期間の範囲内で入力垂直同期信号の周期よりも大きくすることで、位相差を小さくする。例えば、表示垂直同期信号の周期を最大垂直同期期間ＶｌとＶｉｎｃａｐとの間の値に設定する。図５の例では、表示垂直同期信号の周期を最大垂直同期期間Ｖｌに設定した例を示している。
【００３４】
本実施の形態においては、表示垂直同期信号と入力垂直同期信号との位相差を逐次検出し、この位相差が小さくなるように、表示垂直同期信号の周期を決定する。これにより、入力垂直同期信号と表示垂直同期信号との位相差を十分に小さくすることができ、所定期間経過後には、入力垂直同期の開始点は、補償期間内に発生することになる。
【００３５】
なお、後述するように、本実施の形態においては、入力垂直同期信号と表示垂直同期信号との位相差はライン周期を単位として求めるようになっている。従って、位相差の補正もライン周期単位である。
【００３６】
更に、本実施の形態においては、入力垂直同期の開始点が補償期間内において発生するようになると、以後、表示垂直同期信号を入力垂直同期期間Ｖｉｎｃａｐに一致した周期で発生させるようになっている。こうして、表示垂直同期信号を入力垂直同期信号に同期化することができる。
【００３７】
図１において、入力端子１１には標準垂直同期期間Ｖｂａｓｅの値Ｖｂａｓｅが入力され、入力端子１２には最小垂直同期期間Ｖｓの値Ｖｓが入力され、入力端子１３には最大垂直同期期間Ｖｌの値Ｖｌが入力される。また、入力端子１４には入力垂直同期信号Ｖｉｎが与えられる。
【００３８】
周期計測部２２は、入力端子１４を介して入力垂直同期信号Ｖｉｎが入力されており、入力垂直同期の開始点の発生毎に、入力垂直同期信号Ｖｉｎの周期（入力垂直同期期間Ｖｉｎｃａｐ）を求めて、垂直周期判定部２１に出力する。
【００３９】
表示同期用垂直カウンタ２５には、後述する表示用垂直同期信号生成部２４から表示垂直同期信号Ｖｏｕｔがリセット信号Ｒｅｓｅｔとして入力される。表示同期用垂直カウンタ２５は表示垂直同期信号Ｖｏｕｔによってリセットされながら、表示水平同期信号毎にカウントアップする。即ち、表示同期用垂直カウンタ２５の出力は、表示垂直同期の開始位置からのライン周期単位の期間を示す。表示同期用垂直カウンタ２５からのカウント値は位相差検出部２３に出力される。
【００４０】
位相差検出部２３には、表示同期用垂直カウンタ２５からのカウント値と入力端子１４からの入力垂直同期信号Ｖｉｎとが入力される。位相差検出部２３は、入力垂直同期信号Ｖｉｎによって表示同期用垂直カウンタ２５のカウント値を取り込んで出力する。即ち、位相差検出部２３は、表示垂直同期の開始位置から入力垂直同期の開始位置までのライン周期単位の期間差、即ち、表示垂直同期信号を基準とした表示垂直同期信号と入力垂直同期信号との位相差を位相差Δとして出力する。この位相差Δは垂直周期判定部２１に供給される。
【００４１】
垂直周期判定部２１は、表示垂直同期の開始点の発生（表示垂直同期信号の発生）毎に、表示垂直同期信号から次の表示垂直同期信号までの周期に相当する設定垂直カウント値を求めて表示用垂直同期信号生成部２４に出力する。
【００４２】
上述したように、表示同期用垂直カウンタ２５は、前回発生した表示垂直同期信号を基準とした期間を示すカウント値を発生している。表示用垂直同期信号生成部２４は、表示同期用垂直カウンタ２５からのカウント値が設定垂直カウント値に到達するタイミングで表示垂直同期の開始点を示す表示垂直同期信号Ｖｏｕｔを発生するようになっている。出力端子１５から出力される表示垂直同期信号Ｖｏｕｔが表示装置の垂直同期信号として表示に用いられるようになっている。
【００４３】
即ち、表示垂直同期信号を発生する毎に、次に発生する表示垂直同期信号の発生タイミングが設定垂直カウント値によって設定される。垂直周期判定部２１は、位相差が小さくなるように、設定垂直カウント値を求める。また、垂直周期判定部２１は、位相差が短時間で小さくなるように設定垂直カウント値を求める。
【００４４】
例えば、垂直周期判定部２１は、入力垂直同期期間Ｖｉｎｃａｐと位相差Δとの関係が、位相差Δ＜Ｖｉｎｃａｐ／２の場合には、表示垂直同期信号の周期（設定垂直カウント値）を補償期間の範囲内で入力垂直同期信号の周期よりも大きくして、位相差を小さくする。例えば、表示垂直同期信号の周期を最大垂直同期期間ＶｌとＶｉｎｃａｐとの間の値に設定する。
【００４５】
逆に、垂直周期判定部２１は、位相差Δ＞Ｖｉｎｃａｐ／２の場合には、表示垂直同期信号の周期を補償期間の範囲内で入力垂直同期信号の周期よりも小さくして、位相差をＶｉｎｃａｐに近づける。これは、入力垂直同期信号を基準として表示垂直同期信号と入力垂直同期信号との位相差を位相差Δとして求めた場合には、位相差Δを小さくすることと等価である。即ち、この場合には、垂直周期判定部２１は、例えば、表示垂直同期信号の周期（設定垂直カウント値）を最小垂直同期期間ＶｓとＶｉｎｃａｐとの間の値に設定する。
【００４６】
こうして、同期化要求直後において入力垂直同期の開始点が補償期間に発生していない場合でも、表示垂直同期信号と入力垂直同期信号との位相差は次第に小さくなり、所定時間が経過すると、入力垂直同期の開始点は補償期間内で発生することになる。そうすると、以後、垂直周期判定部２１は、入力垂直同期期間Ｖｉｎｃａｐの値を設定垂直カウント値として出力する。
【００４７】
次に、このように構成された実施の形態の動作について説明する。
【００４８】
いま、チャンネル切換え等によって同期化要求が発生するものとする。同期信号生成装置１０には、入力端子１４を介して入力垂直同期信号Ｖｉｎが入力される。この入力垂直同期信号Ｖｉｎは位相差検出部２３に与えられる。位相差検出部２３には表示同期垂直カウンタ２５から表示垂直同期信号を基準としたライン周期を示すカウント値も与えられており、位相差検出部２３は表示垂直同期信号Ｖｏｕｔを基準として、表示垂直同期信号と入力垂直同期信号との位相差Δを求めて垂直周期判定部２１に出力する。
【００４９】
また、入力垂直同期信号Ｖｉｎは、周期計測部２２にも与えられ、周期計測部２２は、入力垂直同期信号の周期を検出して、入力垂直同期期間Ｖｉｎｃａｐを垂直周期判定部２１に出力する。
【００５０】
垂直周期判定部２１には、標準垂直同期期間の値Ｖｂａｓｅ、最小垂直同期期間の値Ｖｓ及び最大垂直同期期間の値Ｖｌも与えられている。垂直周期判定部２１は、同期化要求に応じて発生した同期制御信号によって例えば制御部３から引き込み期間が指定される。いま、引き込み期間直前においては、図５に示すように、表示垂直同期信号Ｖｏｕｔは標準垂直同期期間Ｖｂａｓｅの周期で発生しているものとする。ここで、引き込み期間が指定されると、垂直周期判定部２１は、位相差Δが小さくなるように、又は位相差ΔがＶｉｎｃａｐに近づくように、設定垂直カウント値を発生する。
【００５１】
図５の例においては、Δ＜Ｖｉｎｃａｐ／２であり、垂直周期判定部２１は、位相差Δが小さくなるように、ＶｉｎｃａｐとＶｌとの間の周期、例えば、Ｖｌに対応したライン周期の設定垂直カウント値を発生する。設定垂直カウント値は、表示用垂直同期信号生成部２４に与えられ、表示用垂直同期信号生成部２４は、前回発生した表示垂直同期信号から設定垂直カウント値に応じた期間後に表示垂直同期信号を発生させる。以上の処理が表示垂直同期信号の発生毎に繰り返される。
【００５２】
これにより、図５に示すように、表示垂直同期信号の位相は、入力垂直同期信号に対して少しずつ遅延し、位相差Δは次第に小さくなる。垂直周期判定部２１は、位相差Δによって、入力垂直同期信号が補償期間内に発生したことを検出すると、以後、設定垂直カウント値を入力垂直同期期間Ｖｉｎｃａｐに応じた値にする。
【００５３】
これにより図５の同期化期間に示すように、表示垂直同期信号は、入力垂直同期期間Ｖｉｎｃａｐ毎に発生し、表示垂直同期信号は入力垂直同期信号に同期する。
【００５４】
引き込み期間においては、位相差が早く小さくなる方向に表示垂直同期信号の周期を変化させており、引き込み期間を短縮することができる。また、設定カウント値を適宜設定することにより、表示垂直同期期間の変化を緩やかにすることも可能であり、垂直期間が急激に変化して画像が劣化することを防止することができる。
【００５５】
このように本実施の形態においては、入力垂直同期信号と表示垂直同期信号との位相差を検出し、位相差が早く小さくなるように、補償期間内で表示垂直同期信号の周期を変化させる。これにより、表示同期に非同期な映像信号が入力された場合でも、短時間で且つ画像の劣化を抑制しながら、同期化が可能である。
【００５６】
なお、上記各実施の形態においては、垂直周期判定部は、同期化後においては垂直カウント値を入力垂直同期期間に対応する値に設定したが、同期化後においても位相差検出部２３の検出結果に基づいて位相差が小さくなるように制御を行ってもよい。この場合には、一時的に位相差が逆方向に増加することもあるが、表示垂直同期信号を入力垂直同期信号に略同期化することができる。
【００５７】
（第２の実施の形態）
図６は本発明の第２の実施の形態を示すブロック図である。図６において図１と同一の構成要素には同一符号を付して説明を省略する。
【００５８】
先ず、図７及び図８を参照して、本実施の形態における同期化方法について説明する。図７は特許文献１の同期化方法を示し、図８は本実施の形態における同期化方法を示している。図７及び図８は水平方向に時間軸をとり、フィールドの区切りを示す縦線によって垂直同期の開始点、即ち、垂直同期信号を示している。また、図７（ｃ）及び図８（ｃ）においては、長い縦線で表示垂直同期信号を示し、短い縦線で倍速垂直同期信号を示している。
【００５９】
近年、フィールド周波数が６０Ｈｚの入力映像信号を、１２０Ｈｚの表示垂直同期信号を用いて倍速で表示する倍速駆動が採用されることがある。本実施の形態はこのような倍速駆動に適用したものである。このような倍速駆動時には、表示垂直同期信号の１／２の周期の中間位相における垂直同期の開始点を与える倍速垂直同期信号を発生させる必要がある。つまり、入力映像信号のフィールド周波数が６０Ｈｚである場合には、倍速駆動では、フィールド周波数が１２０Ｈｚの倍速垂直同期信号を用いた走査を行う必要がある。
【００６０】
図７は特許文献１の提案を採用して倍速垂直同期信号を発生する手法を示している。特許文献１の提案では、上述したように、引き込み期間及び同期化期間のいずれの期間にも、入力垂直同期信号（図７（ａ））が発生するタイミングまで、表示垂直同期信号（図７（ｂ））の発生タイミングは不明である。そこで、図７（ｃ）に示すように、特許文献１の提案に対して、中間位相を発生させる場合には、発生させた表示垂直同期信号から予め設定したカウント数だけ経過した固定の期間Ｖｆ後に、倍速垂直同期信号を発生するようにしなければならない。
【００６１】
表示垂直同期信号に対応したタイミングから中間位相のタイミングまでの期間（以下、第１倍速垂直期間という）は固定であるのに対し、中間位相のタイミングから次の垂直同期信号に対応したタイミングまでの期間（以下、第２倍速垂直期間という）は、入力垂直同期信号の発生に応じて決まる不定期間である。即ち、第１倍速垂直期間Ｖｆと第２倍速垂直期間Ｖｖとは異なる長さとなることがあり、入力垂直周波数によっては、第１倍速垂直期間Ｖｆと第２倍速垂直期間Ｖｖとの差が比較的大きくなってしまうこともある。
【００６２】
表示装置として液晶パネルを採用した場合には、バックライトを用いることが一般的である。このバックライトは、表示垂直同期信号に同期させてパルス駆動するようになっている。ところが、中間位相前後の第１の倍速垂直期間と第２倍速垂直期間とで、表示期間に相違があることから、第１，第２倍速垂直期間相互間でバックライトを駆動するパルス数が異なり、第１の倍速垂直期間と第２の倍速垂直期間とで明るさが異なってしまう。これが画面上ではちらつきとなって表示されてしまう。
【００６３】
これに対し、本実施の形態においては、第１の実施の形態と同様に、入力垂直同期信号（図８（ａ））と表示垂直同期信号（図８（ｂ））との位相差を求めて、この位相差を小さくするように表示垂直同期信号を発生する。即ち、本実施の形態においても、位相差に基づいて次に発生する表示垂直同期信号の発生タイミングを設定垂直カウント値によって決定する（図８（ｂ））。
【００６４】
即ち、本実施の形態においても、次に発生する表示垂直同期信号の発生タイミングは表示垂直同期信号を発生させる前に決定されているため、中間位相の倍速垂直同期信号の発生タイミングも決定されている表示垂直同期信号に基づいて制御可能である。本実施の形態においては、次に発生する表示垂直同期信号までの期間の１／２の期間において、中間位相の倍速垂直同期信号を発生させる（図８（ｃ））。これにより、第１倍速垂直期間と第２倍速垂直期間とを一致させることができる。
【００６５】
本実施の形態においては、図６に示すように、垂直周期判定部２１に代えて垂直周期判定部２６を採用し、表示用倍速垂直同期信号生成部２７を付加した点が第１の実施の形態と異なる。垂直周期判定部２６は、図１の垂直周期判定部２１と同様の手法によって、設定垂直カウント値を求めて表示用垂直同期信号生成部２４に出力する。更に、垂直周期判定部２６は、設定垂直カウント値の１／２の値の設定倍速垂直カウント値を求めて表示用倍速垂直同期信号生成部２７に出力する。
【００６６】
表示用倍速垂直同期信号生成部２７は、表示同期用垂直カウンタ２５から前回発生した垂直同期信号を基準としたライン周期単位の垂直周期のカウント値が入力されており、このカウント値が設定倍速垂直カウント値に到達するタイミングで倍速垂直同期の開始点を示す倍速表示垂直同期信号を発生するようになっている。表示用倍速垂直同期信号生成部２７は出力端子１６を介して倍速垂直同期信号を出力する。出力端子１５，１６から出力される表示垂直同期信号及び倍速垂直同期信号が表示装置の垂直同期信号として表示に用いられるようになっている。
【００６７】
次に、このように構成された実施の形態の動作について説明する。
【００６８】
本実施の形態においても、同期化要求が発生すると、例えば制御部３によって引き込み期間が設定される。位相差検出部２３は、表示垂直同期信号と入力垂直同期信号との位相差を求めて垂直周期判定部２６に出力する。また、周期計測部２２は、入力垂直同期信号の周期を検出して、入力垂直同期期間Ｖｉｎｃａｐを垂直周期判定部２６に出力する。
【００６９】
垂直周期判定部２６は、引き込み期間には、位相差が小さくなるように設定垂直カウント値を発生する。更に、本実施の形態においては、垂直周期判定部２６は、設定垂直カウント値の１／２の値の設定倍速垂直カウント値を発生する。
【００７０】
図８の例においては、表示垂直同期信号を基準とした位相差はＶｉｎｃａｐ／２よりも小さく、垂直周期判定部２６は、位相差が小さくなるように、ＶｉｎｃａｐとＶｌとの間の周期、例えば、Ｖｌに対応したライン周期の設定垂直カウント値を発生する。また、垂直周期判定部２６は、この設定垂直カウント値の１／２の値、即ち、Ｖｌ／２に対応したライン周期の設定倍速垂直カウント値を発生する。設定垂直カウント値は表示用垂直同期信号生成部２４に与えられ、設定倍速垂直カウント値は表示用倍速垂直同期信号生成部２７に与えられる。
【００７１】
表示用垂直同期信号生成部２４は、前回発生した表示垂直同期信号から設定垂直カウント値に応じた期間後に表示垂直同期信号を発生させる。同様に、表示用倍速垂直同期信号生成部２７は、前回発生した表示垂直同期信号から設定倍速垂直カウント値に応じた期間後に倍速表示垂直同期信号を発生させる。以上の処理が表示垂直同期信号の発生毎に繰り返される。
【００７２】
これにより、図８に示すように、表示垂直同期信号の位相は、入力垂直同期信号に対して少しずつ遅延し、位相差は次第に小さくなる。垂直周期判定部２６は、位相差によって、入力垂直同期信号が補償期間内に発生したことを検出すると、以後、設定垂直カウント値を入力垂直同期期間Ｖｉｎｃａｐに応じた値にする。また、垂直周期判定部２６は、設定倍速垂直カウント値を入力垂直同期期間Ｖｉｎｃａｐの１／２に応じた値にする。
【００７３】
これにより図８の同期化期間に示すように、表示垂直同期信号は、入力垂直同期期間Ｖｉｎｃａｐ毎に発生し、表示垂直同期信号は入力垂直同期信号に同期すると共に、表示垂直同期期間Ｖｉｎｃａｐの１／２の周期で倍速垂直同期信号が発生する。
【００７４】
このように本実施の形態においては、第１の実施の形態と同様の効果が得られると共に、倍速駆動時において、表示垂直同期期間の１／２の中間位相において確実に倍速垂直同期信号を発生させることができる。これにより、中間位相前後の第１の倍速垂直期間と第２の倍速垂直期間とで明るさが異なることを防止することができ、フリッカの発生を軽減させることができる。
【００７５】
なお、上記実施の形態においては、倍速駆動として２倍速の例について説明したが、３倍速以上の倍速駆動にも同様に適用できることは明らかである。この場合には、倍速数をｎ（ｎは２以上の整数）として、垂直周期判定部２６は、設定垂直カウント値の１／ｎの値であるｎ倍速垂直カウント値を出力するようにすればよい。
【００７６】
なお、本発明は、上述した実施の形態に限定されるものではなく、本発明の要旨を変えない範囲において、種々の変更、改変等が可能である。
【符号の説明】
【００７７】
２１…垂直周期判定部、２２…周期計測部、２３…位相差検出部、２４…表示用垂直同期信号生成部、２５…表示同期用垂直カウンタ。
【図１】
2011205203.tif 000003
【図２】
2011205203.tif 000004
【図３】
2011205203.tif 000005
【図４】
2011205203.tif 000006
【図５】
2011205203.tif 000007
【図６】
2011205203.tif 000008
【図７】
2011205203.tif 000009
【図８】
2011205203.tif 000010